(57)【要約】【課題】排水可能で強度が大きい構造の側溝蓋を提供する。【解決手段】複数の細長材１がＦＲＰ製で断面Ｉ字型の形状を有する。各細長材１は、両端の側部に端部貫通孔１ａを有し、側部の中間部に２つの中間貫通孔１ｂ、１ｃを有する。各細長材１は、側部間に排水用の間隔をあけて並列に配置される。複数の端部補強材２がＦＲＰ製で、側部に側部貫通孔２ａを有している。各端部補強材２は、各細長材１の両端の側部間に嵌合され、接着剤で固定されている。１対の芯材３がＦＲＰ製で、それぞれ各細長材１の両端の端部貫通孔１ａおよび各端部補強材２の側部貫通孔２ａに貫通して固定される。２本の間隔保持材４が中間貫通孔１ｂ、１ｃを貫通し、各細長材１と嵌合する複数の溝部４ａを有する。２本の固定材５が間隔保持材４を中間貫通孔１ｂ、１ｃに固定している。【選択図】図１
2019085775.tif 000002
【特許請求の範囲】
【請求項１】
複数の細長材と、複数の端部補強材と、１対の芯材とを有し、
各細長材は、両端の側部に端部貫通孔を有し、側部間に排水用の間隔をあけて並列に配置され、
各端部補強材は、側部に側部貫通孔を有し、各細長材の前記両端の前記側部間に固定され、
各芯材はそれぞれ各細長材の前記両端の前記端部貫通孔および各端部補強材の前記側部貫通孔に貫通して固定されていることを、
特徴とする側溝蓋。
【請求項２】
間隔保持材と固定材とを有し、
各細長材は前記側部の中間部に中間貫通孔を有し、
前記間隔保持材は、前記中間貫通孔を貫通し、各細長材と嵌合する溝部を有し、
前記固定材は前記中間貫通孔を貫通し、前記間隔保持材を前記中間貫通孔に固定していることを、
特徴とする請求項１記載の側溝蓋。
【請求項３】
前記細長材は横断面の中間部が両端部より薄い形状を有し、
前記細長材および前記端部補強材はFRPから成ることを、
特徴とする請求項１または２記載の側溝蓋。
【発明の詳細な説明】
【技術分野】
【０００１】
本発明は、側溝蓋に関する。
【背景技術】
【０００２】
従来、合成樹脂製の側溝蓋が知られている（例えば、特許文献１参照）。合成樹脂製の側溝蓋は、コンクリート製や鋼鉄製のものに比べて、側溝の点検、追加工事等の際の取外しや設置、運搬などの作業が容易である。
【先行技術文献】
【特許文献】
【０００３】
【特許文献１】特開平９−３１２９２２号公報
【発明の概要】
【発明が解決しようとする課題】
【０００４】
しかしながら、特許文献１に記載されるような従来の合成樹脂製の側溝蓋は、強度が小さいという課題があった。特に、排水用の溝を形成した場合、強度がさらに小さくなると考えられる。
【０００５】
本発明は、このような課題に着目してなされたもので、排水可能で強度が大きい構造の側溝蓋を提供することを目的とする。
【課題を解決するための手段】
【０００６】
上記目的を達成するために、本発明に係る側溝蓋は、複数の細長材と、複数の端部補強材と、１対の芯材とを有し、各細長材は、両端の側部に端部貫通孔を有し、側部間に排水用の間隔をあけて並列に配置され、各端部補強材は、側部に側部貫通孔を有し、各細長材の前記両端の前記側部間に固定され、各芯材はそれぞれ各細長材の前記両端の前記端部貫通孔および各端部補強材の前記側部貫通孔に貫通して固定されていることを、特徴とする。
【０００７】
本発明に係る側溝蓋は、複数の細長材が排水用の間隔をあけて並列に配置されることにより、強度が大きくなっている。各細長材の間から排水することができる。各端部補強材は、各細長材が倒れるのを防止する。各芯材は、各細長材と各端部補強材とがずれたり抜けたりするのを防止する。
【０００８】
本発明に係る側溝蓋は、間隔保持材と固定材とを有し、各細長材は前記側部の中間部に中間貫通孔を有し、前記間隔保持材は、前記中間貫通孔を貫通し、各細長材と嵌合する溝部を有し、前記固定材は前記中間貫通孔を貫通し、前記間隔保持材を前記中間貫通孔に固定していることが好ましい。
この場合、間隔保持材が各細長材の間隔を保ち、固定材により中間貫通孔に固定されて各細長材の水平方向のたわみを防止することができる。なお、中間貫通孔は各細長材に２個または３個以上設けられていることが好ましく、間隔保持材および固定材もそれぞれ２本または３本以上設けられていることが好ましい。また、本発明に係る側溝蓋は、１本または２本以上の中間芯材を有していてもよく、間隔保持材および固定材を固定した中間貫通孔以外の中間貫通孔に、中間芯材が貫通して固定されていてもよい。
【０００９】
本発明に係る側溝蓋において、前記細長材は横断面の中間部が両端部より薄い形状を有し、前記細長材および前記端部補強材はFRPから成ることが好ましい。
この場合、強度を保ちながら、軽量化を図ることができるとともに、鋼鉄製のものに比べて腐食しにくい。
【発明の効果】
【００１０】
本発明によれば、排水可能で強度が大きい構造の側溝蓋を提供することができる。
【図面の簡単な説明】
【００１１】
【図１】本発明の実施の形態の側溝蓋を示す分解斜視図である。
【図２】図１の側溝蓋を示す斜視図である。
【発明を実施するための形態】
【００１２】
以下、図面に基づき、本発明の実施の形態について説明する。
図１および図２は、本発明の実施の形態の側溝蓋を示している。
側溝蓋は、複数の細長材１と、複数の端部補強材２と、１対の芯材３と、２本の間隔保持材４と、２本の固定材５とを有している。
【００１３】
各細長材１は、ＦＲＰ製で、横断面の中間部が板状で両端部より薄い断面Ｉ字型の形状を有している。各細長材１は、両端の側部に端部貫通孔１ａを有し、側部の中間部に２つの中間貫通孔１ｂ、１ｃを有している。各細長材１は、側部間に排水用の間隔をあけて並列に配置されている。
各端部補強材２は、ＦＲＰ製で、側部に側部貫通孔２ａを有している。各端部補強材２は、各細長材１の両端の側部間に嵌合され、接着剤で固定されている。
【００１４】
各芯材３は、ＦＲＰ製で、それぞれ各細長材１の両端の端部貫通孔１ａおよび各端部補強材２の側部貫通孔２ａに貫通して固定されている。
各間隔保持材４は、ＦＲＰ製で、中間貫通孔１ｂ、１ｃを貫通し、各細長材１と嵌合する複数の溝部４ａを下部に有している。各固定材５は、ＦＲＰ製で、中間貫通孔１ｂ、１ｃを貫通し、間隔保持材４を中間貫通孔１ｂ、１ｃに固定している。各間隔保持材４および各固定材５は、それぞれ横断面が半円形で、互いに重ねたとき中間貫通孔１ｂ、１ｃの内径とほぼ同じ外径を有している。
【００１５】
側溝蓋は、複数の細長材１が排水用の間隔をあけて並列に配置されることにより、強度が大きくなっている。特に、細長材１は、断面Ｉ字型のため、車両の荷重に耐える強度を保ちながら、軽量化を図ることができる。また、側溝蓋は、すべての部材がＦＲＰから成るため、鋼鉄製のものに比べて腐食しにくい。このため、本実施の形態の側溝蓋は、高規格道路のトンネル内に設置される排水枡蓋に適している。
【００１６】
側溝蓋は、各細長材１の間から排水することができる。各端部補強材２は、車両タイヤの回転により各細長材１が倒れるのを防止する。各芯材３は、各細長材１と各端部補強材２とがずれたり抜けたりするのを防止する。
間隔保持材４は、各溝部４ａが各細長材１と嵌合しているため、各細長材１の間隔を保っている。間隔保持材４は、固定材５により中間貫通孔１ｂ、１ｃに固定されて各細長材１の水平方向のたわみを防止することができる。
【符号の説明】
【００１７】
１  細長材
１ａ  端部貫通孔
１ｂ、１ｃ  中間貫通孔
２  端部補強材
２ａ  側部貫通孔
３  芯材
４  間隔保持材
４ａ  溝部
５  固定材
【図１】
2019085775.tif 000003
【図２】
2019085775.tif 000004